(57)【特許請求の範囲】
【請求項１】
酸化防止を要する湧水、排水、その他の保護対象液体１を貯留する槽乃至タンク２内に、該槽乃至タンクの内周壁に遊嵌させてかつその保護対象液体１の液面に浮かせて浮枠３を内装し、該浮枠内にその保護対象液体１の液面を覆う不揮発性流体４による被膜５を設けたことを特徴とする酸化防止液面シール法。
【請求項２】
酸化防止を要する湧水、排水、その他の保護対象液体１を貯留する槽乃至タンク２内に、該槽乃至タンクの内周壁に遊嵌させてかつその保護対象液体１の液面に浮かせて浮枠３を内装し、該浮枠内にその保護対象液体１の液面に浮遊させて多数の小さな浮子６を配するとともに、これらの浮子の隙間を不揮発性流体４により包覆したことを特徴とする酸化防止液面シール法。
【発明の詳細な説明】
【０００１】
【発明の属する技術分野】
本発明は、液面から浸入して液中に拡散する酸素を防いで、湧水、排水等に含まれる鉄イオン等の被酸化性物質の酸化を抑制し、配管及び系統機器の閉塞を防止する酸化防止液面シール法であって、特に、シール材として用いる不揮発性流体が槽乃至タンクの内壁面に付着しないようにした酸化防止液面シール法に関する。
【０００２】
【従来の技術】
従来、湧水、排水等の送水系統では、槽乃至タンク内の貯水に水面から空気中の酸素が溶解浸入して水中深く拡散することから、水中に含まれている鉄イオン等の濃度が高い場合には当該成分がその酸素によって酸化されて、コロイド状の酸化物となり、これが送水用の配管等を閉塞して、大きな障害となることが度々あった。
そのため、従来は、次のような防止対策が講じられている。
▲１▼  配管等を定期的にクリーニングする。
▲２▼  薬品処理等によって水中の被酸化性物質を沈殿除去する。
▲３▼  送水系統の槽乃至タンク内において、空気に触れる水面を次の（ａ）  〜（ｃ）  の遮蔽手段で覆い、空気中から浸入する酸素を遮断して、酸化を防止する。
（ａ）  油等（特開昭５４‐８１６６１号公報）
（ｂ）  多数の浮子ボール等（特公平５‐７９５９６  号公報）
（ｃ）  浮屋根等（特開平２‐８５１８８  号公報）
【０００３】
【発明が解決しようとする課題】
しかし、これら防止対策には、未だ次のような種々の問題点がある。
▲１▼の場合、クリーニングに手間やコストがかかるだけでなく、その間、運転中の各種装置を停止させなければならないなど、施設の運用面に支障が生ずる。
▲２▼の場合、水中被酸化性物質に応じた添加制御技術及び薬品による二次汚染等の問題があり、特に、湧水等の量が多い場合や被酸化性物質の濃度が高い時は対策が困難である。また、薬品コストにも問題がある。
▲３▼の場合、（ａ）  にあっては、水面の上下の変動に伴いその油等が槽乃至タンクの内周壁に付着するため、その油等の実効量が低下してシール性能が悪化し、かつ、内周壁や槽内の設備（梯子、配管等）が汚れてこれが貯水の水質を悪化させる原因となることがあり、更には、メンテナンスの手間もかかる。（ｂ）  にあっては、浮子ボール等の間の隙間で水面が空気に触れ、空気中から浸入する酸素を十分遮断できない欠点があり、また、（ｃ）  にあっては、急激な水の出入りや地震等で水面が揺動した際に、浮屋根等が部分的に空中に持ち上げられて、内側に空気を抱き込むことがあり、空気中から浸入する酸素を十分遮断できない欠点がある。
【０００４】
本発明は、これらの問題点を解決しようとするものであり、槽乃至タンク内における湧水、排水等の液体の液面を、的確なシール性を有しかつ廉価で二次汚染等のないシール材により適正にシールして、液面から浸入する酸素を十分に阻止し、併せて、そのシール材として用いる不揮発性流体を、浮枠で囲うことにより該不揮発性流体が槽乃至タンクの内壁面に付着しないようにして、該付着による不揮発性流体の実効量の低下及びこれに伴うシール性能の悪化を防止して貯留液体の酸化を的確に阻止するとともに、内周壁の汚れ及びこれに伴う貯留液体の性状の悪化を防止しようとするものである。
【０００５】
【課題を解決するための手段】
上記目的達成のため、請求項１の発明は、酸化防止を要する湧水、排水、その他の保護対象液体１を貯留する槽乃至タンク２内に、該槽乃至タンクの内周壁に遊嵌させてかつその保護対象液体１の液面に浮かせて浮枠３を内装し、該浮枠内にその保護対象液体１の液面を覆う不揮発性流体４による被膜５を設けたことを特徴とする。
【０００６】
請求項２の発明は、酸化防止を要する湧水、排水、その他の保護対象液体１を貯留する槽乃至タンク２内に、該槽乃至タンクの内周壁に遊嵌させてかつその保護対象液体１の液面に浮かせて浮枠３を内装し、該浮枠内にその保護対象液体１の液面に浮遊させて多数の小さな浮子６を配するとともに、これらの浮子の隙間を不揮発性流体４により包覆したことを特徴とする。
【０００７】
【発明の実施の形態】
図１は、請求項１の発明に係る実施の形態を示している。
図において、１は、酸化防止を要する湧水、排水等の保護対象液体、２は、該保護対象液体を貯留する角形の槽乃至タンク、３は、該槽乃至タンク内に保護対象液体の液面に浮かせて内装した浮枠、４は、該浮枠内に配した不揮発性流体、５は、保護対象液体の液面を覆った不揮発性流体による被膜である。
【０００７】
浮枠３は、浮力を有する合成樹脂、木等の細い板を方形に組み、槽乃至タンク２の内周面に近接させて遊嵌した主枠８と、浮力を有する合成樹脂、木等で筒状に形成し、その槽乃至タンク内へ上方から真っ直ぐに挿入した給水管、排水管等の挿入配管７に近接させて遊嵌した補助枠９とから成り、いずれも上半部を空中に突出させて保護対象液体１中に浮かせるようにしている。
なお、主枠８は、槽乃至タンク２が大型の場合には図２に示すように複数の分割体から形成してもよい。これらの分割体は、連結させる必要はないが、場合により連結一体化させてもよい。
【０００８】
浮枠内に配した被膜５用の不揮発性流体４としては、オイル、流動パラフィン等がよい。
【０００９】
図３、図４は、請求項２の発明に係る実施の形態を示している。
図において、１は、酸化防止を要する湧水、排水等の保護対象液体、２は、該保護対象液体を貯留する角形の槽乃至タンク、３は、該槽乃至タンク内に保護対象液体の液面に浮かせて内装した浮枠、６は、該浮枠内にその保護対象液体の液面に浮遊させて配した多数の小さな浮子であり、これらの浮子の隙間を不揮発性流体４により包覆している。
【００１０】
浮枠３は、浮力を有する合成樹脂、木等の断面円形の部材で方形の枠体１０に形成し、該枠体を槽乃至タンク２の内周面に近接させて遊嵌し、かつ、上半部を空中に突出させて保護対象液体中に浮かせるようにしている。なお、枠体１０は、中空の部材によるものでもよく、また、剛性の材質のものでも、或いは、柔軟性の材質のものでもよい。
【００１１】
浮子６は、浮力を有する合成樹脂、木等により半球状に形成したものである。この場合、球体のように回転することがないので、回転によって空気が取り込まれるようなことはない。なお、中空のものでも、中実のものでもよい。また、剛性の材質のものでも、或いは、柔軟性の材質のものでもよい。回転等によって空気が取り込まれるようなことがなけれれば、球状、その他の形状としてもよいことは勿論である。
これらの浮子の隙間を包覆する不揮発性流体４は、図１の場合と同様、オイル、流動パラフィン等がよい。
【００１３】
実験によれば、いずれの場合にあっても、浮枠３により不揮発性流体４が槽乃至タンク２の内周壁に付着するのを防止でき、しかも、液面を９０％以上シールすることができ、保護対象液体１が約１０〜２０ｍｇ／ｌの鉄イオンを含み透視度１０〜３５ｃｍで赤水状態を呈する水を、透視度５０ｃｍ以上の清澄な水質に改善できるとともに、鉄イオンがコロイド及びその集合体となって管壁に付着する作用を抑制でき、配管系統の各種機器等の閉塞防止効果を得ることができた。
【００１２】
【発明の効果】
請求項１及び請求項２の発明によれば、槽乃至タンク２内において、湧水、排水等の保護対象液体１に対する液面のシールに、シール性のよい不揮発性流体４を使用しているが、この不揮発性流体４は、浮枠３の囲成内部に配されているので、該浮枠３により遮断されて槽乃至タンク２の内壁面には達せず、したがって、その保護対象液体１の液面が上下に変動してもその槽乃至タンク２の内壁面には付着せず、該付着による不揮発性流体４の実効量の低下も、これによるシール性能の悪化も生じず、また、内周壁を汚すことも、これがその保護対象液体１の性状を悪化させることもない。
そして、請求項１の発明によれば、不揮発性流体４の被膜５により、また、請求項２の発明によれば、多数の浮子６とそれらの浮子の隙間を包覆する不揮発性流体４とにより、湧水、排水等の保護対象液体１の液面を９０％以上的確にシールすることができ、しかも、それらは液面が揺動してもシールが破れることなく液面の変化に追随するとともに、その揺動を不揮発性流体４の粘性により抑制して空気を抱き込むようなことはなく、したがって、その保護対象液体１に液面から浸入しようとする酸素を十分に阻止することができ、その保護対象液体１に含まれる鉄イオン等被酸化性物質の酸化を適正に抑制できて、配管及び系統機器の閉塞を十分に防止することができる。勿論、施設のクリーニング等を必要とせず、そのための手間や経費はかからず、運転中の系統機器を停止させる必要もないから施設の運用面で支障が生じることもない。
更に、浮枠３、浮子６としては、合成樹脂製、木製等のものを、また、不揮発性流体４としては、オイル、流動パラフィン等を用いることができて、貯留液体の二次汚染等が生じることはなく、コストを低く抑えることができる。
【図面の簡単な説明】
【図１】請求項１の発明に係る実施の形態を示す縦断側面図である。
【図２】同実施の形態における変形例を示す截断斜視図である。
【図３】請求項２の発明に係る実施の形態を示す要部の縦断側面図である。
【図４】同実施の形態における要部の截断斜視図である。
【符号の説明】
１…保護対象液体                ２…槽乃至タンク
３…浮枠                        ４…不揮発性流体
５…被膜                        ６…浮子
７…挿入配管                    ８…主枠
９…補助枠                      １０…枠体
【図１】
0003628862.tif 000002
【図２】
0003628862.tif 000003
【図３】
0003628862.tif 000004
【図４】
0003628862.tif 000005